(57)【特許請求の範囲】
【請求項１】
横架材、及び前記横架材の外側に配置される外壁材を少なくとも含んで構成され、前記外壁材の内側に通気層を備えた下部ユニット及び上部ユニットと、
前記下部ユニットと前記上部ユニットの境界部分の前記横架材の外側に配置され、柔軟性を有した断熱材と、
前記断熱材と前記外壁材との間に配置され、前記下部ユニットに対応する前記通気層と、前記上部ユニットに対応する通気層とを相互に連通する通気スペーサと、
を有し、
さらに、前記通気スペーサは、軸方向を上下方向に向けた複数の筒状体を水平方向に連結して構成され、
前記筒状体には、前記断熱材側に貫通孔が形成されている、
ことを特徴とする建物。
【請求項２】
前記通気スペーサの外壁材側に防水シートが配置されている、ことを特徴とする請求項１に記載の建物。
【請求項３】
前記防水シートは、上端が前記上部ユニットの前記外壁材と前記下部ユニットの前記外壁材との境界よりも上方に配置され、下端側が前記下部ユニットの前記外壁材の外側に配置されている、ことを特徴とする請求項２に記載の建物。
【請求項４】
前記筒状体は、軸方向を上下方向に向けた複数の紙筒を水平方向に連結して構成されている、ことを特徴とする請求項１〜請求項３の何れか１項に記載の建物。
【請求項５】
前記断熱材は複数からなる、ことを特徴とする請求項１〜請求項４の何れか１項に記載の建物。
【請求項６】
前記下部ユニットの前記外壁材を前記下部ユニットの前記横架材に支持する第１の支持部材と、前記上部ユニットの前記外壁材を前記上部ユニットの前記横架材に支持する第２の支持部材と、を備え、
前記断熱材、及び前記通気スペーサは、前記下部ユニットの前記第１の支持部材と前記上部ユニットの前記第２の支持部材との間に支持されている、ことを特徴とする請求項１〜請求項５の何れか１項に記載の建物。
【請求項７】
請求項１〜請求項６の何れか１項に記載された建物に適用され、
柔軟性を有した断熱材を、下部ユニットの前記外壁材と上部ユニットの前記外壁材との間に設けた隙間から挿入して、前記下部ユニットと前記上部ユニットの境界部分の横架材の外側に配置する第１の工程と、
前記下部ユニットの前記外壁材の内側に設けられた下部通気層と、前記上部ユニットの前記外壁材の内側に設けられた上部通気層とを連通させる通気スペーサを、前記隙間から挿入して前記断熱材と前記外壁材との間に配置する第２の工程と、
を有することを特徴とする建物の施工方法。
【発明の詳細な説明】
【技術分野】
【０００１】
本発明は、建物、及び建物の施工方法にかかり、特には、外壁材の内側に断熱材と通気層を備えた建物、およびその施工方法に関する。
【背景技術】
【０００２】
住宅等の建物の外壁の階間、例えば、上階床レベルと下階天上レベルとの間においては、天井梁、床梁等の横架材の外側で断熱することが有効とされている。
【特許文献１】特開２００６−１６９８０８号公報
【特許文献２】特公平６−３９８０９号公報
【発明の開示】
【発明が解決しようとする課題】
【０００３】
ところで、複数の建物ユニットを連結して構成されるユニット住宅では、上部ユニットと下部ユニットを施工現場にて接続するため、上部ユニットと下部ユニットの接続部においては、施工現場にて天井梁、及び床梁の外側に断熱材を配置している。
【０００４】
ユニット住宅では、天井梁、及び床梁の外側にボルトやナット等による凹凸が構造的に多いため、発泡プラスチック系の硬い断熱材では、梁のボルト等の凹凸への対応が難しい。例えば、梁の側面にボルトやナットが突出していると、凸部の先に断熱材が当たってしまい、断熱材が梁の側面に密着しなくなり、断熱効果が低下してしまう。
したがって、このような場所では、凸状に突出している部分が接触すると弾性変形して凹むような柔軟性のある断熱材が適している。
【０００５】
しかしながら、断熱材と外壁材との間に通気層を設ける場合で、繊維系断熱材のような柔軟な断熱材を外壁材と梁との間に単に充填するだけでは、断熱材で空間が充満して階間で通気層が確保できなくなる虞がある。階間で通気層が確保できなくなると、下階の通気層と上階の通気層とが連通しなくなり、外壁内にて基礎側から屋根側へ空気が流れなくなり、外壁と内壁との間で湿気がこもる等の問題が発生する。
【０００６】
本発明は、上記問題を解決すべく成されたもので、階間において、断熱を行うと共に通気性を確保することが可能な建物を提供することが目的である。
【課題を解決するための手段】
【０００７】
本発明は上記事実に鑑みてなされたものであって、請求項１に記載の建物は、横架材、及び前記横架材の外側に配置される外壁材を少なくとも含んで構成され、前記外壁材の内側に通気層を備えた下部ユニット及び上部ユニットと、前記下部ユニットと前記上部ユニットの境界部分の前記横架材の外側に配置され、柔軟性を有した断熱材と、前記断熱材と前記外壁材との間に配置され、前記下部ユニットに対応する前記通気層と、前記上部ユニットに対応する通気層とを相互に連通する通気スペーサと、を有し、さらに、前記通気スペーサは、軸方向を上下方向に向けた複数の筒状体を水平方向に連結して構成され、前記筒状体には、前記断熱材側に貫通孔が形成されている、ことを特徴としている。
【０００８】
次に、請求項１に記載の建物の作用を説明する。
請求項１に記載の建物では、下部ユニット、及び上部ユニットの境界部分の横架材の外側が断熱材で断熱されている。このため、下部ユニット、及び上部ユニットの境界付近において、室内の熱が、例えば床梁や天井梁等の横架材を介して外側へ逃げることを阻止し、外部の熱が例えば床梁や天井梁等の横架材を介して室内へ侵入することを阻止することができる。
【０００９】
断熱材は柔軟性を有しているので、例えば、ユニットの組立に用いられているボルトの頭部、ナット等の突起が横架材側面から外壁材側へ突出していても、突起の当たる断熱材の一部を部分的に凹ませることができ、断熱効果を低減させることが無いように断熱材を横架材側面に密着させることができる。
【００１０】
また、下部ユニットの前記外壁材の内側、及び上部ユニットの前記外壁材の内側には、各々通気層が設けられており、下部ユニットに対応する通気層と、上部ユニットに対応する通気層とは、通気スペーサによって相互に連通されているので、断熱材を横架材の側面に密着させるために下部ユニット、及び上部ユニットの境界部分で断熱材を充填しても通気層が遮断されることは無く、基礎側から屋根側まで空気を流通させることができる。
また、通気スペーサが複数の筒状体からなることで、通気スペーサを狭い隙間を介して挿入する際の施工性が向上する。
さらに、筒状体の内部空間を介して上下の通気層が相互に連通されるため、断熱材からの湿気を、貫通孔、及び筒状体の内部空間を介して通気層へ逃がすことができる。このため、断熱材に湿気がこもることを防止できる。
【００１１】
なお、柔軟性を有する断熱材としては、例えば、グラスウール、ロックウール等の繊維系断熱材を用いることができるが、これらに限定されず、柔軟性を有していれば従来公知の断熱材を用いることができる。
【００１２】
請求項２に記載の発明は、請求項１に記載の建物において、前記通気スペーサの外壁材側に防水シートが配置されている、ことを特徴としている。
【００１３】
次に、請求項２に記載の建物の作用を説明する。
通気スペーサの外壁材側に防水シートを配置することで、仮に上部ユニットの前記外壁材と下部ユニットの前記外壁材との隙間から外壁材内部へ雨水等が浸入した際であっても、通気スペーサ、及び断熱材が濡れることを阻止できる。
【００１４】
請求項３に記載の発明は、請求項２に記載の建物において、前記防水シートは、上端が前記上部ユニットの前記外壁材と前記下部ユニットの前記外壁材との境界よりも上方に配置され、下端側が前記下部ユニットの前記外壁材の外側に配置されている、ことを特徴としている。
【００１５】
次に、請求項３に記載の建物の作用を説明する。
防水シートの上端を上部ユニットの前記外壁材と下部ユニットの前記外壁材との境界よりも上方に配置し、下端側を下部ユニットの前記外壁材の外側に配置することで、上部ユニットの前記外壁材と下部ユニットの前記外壁材との境界から雨水等が侵入しようとしたとき、防水シートに付着した雨水等を外壁材の外側へ流すことができ、雨水等が外壁材の内側へ侵入して通気スペーサ、及び断熱材が濡れることを阻止できる。
【００２２】
請求項４に記載の発明は、請求項１〜請求項３の何れか１項に記載の建物において、前記通気スペーサは、軸方向を上下方向に向けた複数の紙筒を水平方向に連結して構成されている、ことを特徴としている。
【００２３】
次に、請求項４に記載の建物の作用を説明する。
請求項４に記載の建物では、軸方向を上下方向に向けた複数の紙筒の内部空間を介して上下の通気層が相互に連通される。
また、紙は、湿気が透過可能であるため、断熱材からの湿気を紙筒の内部空間へ透過させて通気層を逃がすことができ、断熱材に湿気がこもることを防止できる。
【００２４】
請求項５に記載の発明は、請求項１〜請求項４の何れか１項に記載の建物において、前記断熱材は複数からなる、ことを特徴としている。
【００２５】
次に、請求項５に記載の建物の作用を説明する。
断熱材が複数からなることで、断熱材を狭い隙間を介して挿入する際の施工性が向上する。
【００２６】
請求項６に記載の発明は、請求項１〜請求項５の何れか１項に記載の建物において、前記下部ユニットの前記外壁材を前記下部ユニットの前記天井梁に支持する第１の支持部材と、前記上部ユニットの前記外壁材を前記上部ユニットの前記床梁に支持する第２の支持部材と、を備え、前記断熱材、及び前記通気スペーサは、前記下部ユニットの前記第１の支持部材と前記上部ユニットの前記第２の支持部材との間に支持されている、ことを特徴としている。
【００２７】
次に、請求項６に記載の建物の作用を説明する。
断熱材、及び通気スペーサを、第１の支持部材と第２の支持部材を利用して支持することで、断熱材、及び通気スペーサを支持するための専用の部材を必要とせず、部品点数の増加を抑えることができる。
【００２８】
請求項７に記載の建物の施工方法は、請求項１〜請求項６の何れか１項に記載された建物に適用され、柔軟性を有した断熱材を、下部ユニットの前記外壁材と上部ユニットの前記外壁材との間に設けた隙間から挿入して、前記下部ユニットと前記上部ユニットの境界部分の横架材の外側に配置する第１の工程と、前記下部ユニットの前記外壁材の内側に設けられた下部通気層と、前記上部ユニットの前記外壁材の内側に設けられた上部通気層とを連通させる通気スペーサを、前記隙間から挿入して前記断熱材と前記外壁材との間に配置する第２の工程と、を有することを特徴としている。
【００２９】
先ず、第１の工程では、柔軟性を有した断熱材が、下部ユニットの前記外壁材と上部ユニットの前記外壁材との間に設けた隙間から挿入され、下部ユニットと上部ユニットの境界部分の横架材の外側に配置される。
【００３０】
第２の工程では、通気スペーサが、下部ユニットの前記外壁材と上部ユニットの前記外壁材との間に設けた隙間から挿入されて断熱材と外壁材との間に配置される。
【００３１】
以上の工程を経ることにより、下部ユニットの前記外壁材と内壁材との間に設けられた下部通気層と、上部ユニットの前記外壁材と内壁材との間に設けられた上部通気層とを通気スペーサで連通させた建物を得ることができる。
【発明の効果】
【００３２】
以上説明したように本発明の建物によれば、階間において、断熱を行うと共に通気性を確保することができる。
【００３３】
また、本発明の建物の施工方法によれば、上部ユニットの前記外壁材と内壁材との間に設けられた上部通気層とを通気スペーサで連通させた建物を得ることができる。
【発明を実施するための最良の形態】
【００３４】
［第１の実施形態］
以下、図１〜図５を用いて、本発明に係る建物の第１の実施形態について説明する。なお、第１の実施形態並びに後述する第２の実施形態及び第３の実施形態中、後述する段ボール紙６２で形成された通気スペーサ６０については参考例とする。
図１には、複数個（本実施形態では８個）の建物ユニット１２からなる２階建てのユニット建物１０が示されている。
なお、説明の便宜上、建物ユニット１２の各部材に名称付けをしておく。建物ユニット１２は、４本の柱１４と、互いに平行に配置された長短二組の天井大梁１６と、これらの天井大梁１６に対して上下に平行に配置された長短二組の床大梁２０とを備えており、梁の端部を天井と床の仕口に溶接することによりラーメン構造として構成されている。但し、ユニット構成は上記に限られることなく、他の箱形の架構構造としてもよい。
【００３５】
本実施形態では、天井大梁１６、及び床大梁２０に、断面コ字形状のチャンネル鋼（溝形鋼）が用いられている。なお、天井大梁１６、及び床大梁２０が本発明の横架材に対応している。
【００３６】
建物ユニット１２は、矩形枠状に組まれた天井フレーム２４と床フレーム２６とを備えており、これらの間に４本の柱１４が立設される構成となっている。天井フレーム２４は四隅に天井仕口部（柱）２８を備えており、この天井仕口部２８に長さが異なる天井大梁１６の長手方向の端部が溶接されている。
同様に、床フレーム２６は四隅に床仕口部（柱）３０を備えており、この床仕口部３０に長さが異なる床大梁２０の長手方向の端部が溶接されている。
そして、上下に対向して配置された天井仕口部２８と床仕口部３０との間に、柱１４の上下端部が溶接により剛接合されて及びボルトにより仮固定されて建物ユニット１２が構成される。
【００３７】
図２に示すように、建物ユニット１２では、床大梁２０の上側に、床下地材３２を介して床面材３４が取り付けられており、天井大梁１６の下側には、天井野縁３６を介して天井材３８が取り付けられている。床面材３４と天井材３８との間には、内壁材４０が配置されている。
【００３８】
建物ユニット１２には、天井大梁１６、及び床大梁２０の外側に、これら天井大梁１６、及び床大梁２０とは間隔をあけて外壁材４２が配置されている。
【００３９】
外壁材４２の裏面には、上端側に側面視で略コ字形状とされた第１外壁フレーム４４が取り付けられており、下端側にも側面視で略コ字形状とされた第２外壁フレーム４６が取り付けられている。なお、本実施形態の第１外壁フレーム４４、及び第２外壁フレーム４６には、断面コ字形状のチャンネル鋼（溝形鋼）が用いられている。
【００４０】
第１外壁フレーム４４、及び第２外壁フレーム４６がボルト４８、及びナット５０等で天井大梁１６、及び床大梁２０に固定されることで、外壁材４２が天井大梁１６、及び床大梁２０に取り付けられている。
【００４１】
図３に示すように、本実施形態の第１外壁フレーム４４、及び第２外壁フレーム４６は、外壁材４２の幅方向に連続して延びている。また、これら第１外壁フレーム４４、及び第２外壁フレーム４６では、外壁材４２から垂直に立ち上がっている板部分の外壁材側に、複数の通気孔５１がフレーム長手方向に沿って形成されている。
【００４２】
図２に示すように、内壁材４０と外壁材４２との間には、内壁材４０の外側に、内壁材４０と密着し、かつ外壁材４２からは離間するように壁用外側断熱材５２が設けられている。
【００４３】
ここで、下階の建物ユニット１２においては、天井大梁１６と外壁材４２との間に、壁用外側断熱材５２と第１外壁フレーム４４とを掛け渡すように第１梁用外側断熱材５４が設けられている。第１梁用外側断熱材５４は、壁用外側断熱材５２よりも薄く形成されており天井大梁１６の外面に密着し、かつ外壁材４２と離間するように配置されている。
【００４４】
一方、上階の建物ユニット１２においては、床大梁２０と外壁材４２との間に、壁用外側断熱材５２と第２外壁フレーム４６とを掛け渡すように、下階の建物ユニット１２と同様の第１梁用外側断熱材５４が設けられている。上階の建物ユニット１２の第１梁用外側断熱材５４も下階の建物ユニット１２の第１梁用外側断熱材５４と同様に、天井大梁１６の外面に密着し、かつ外壁材４２と離間するように配置されている。
なお、壁用外側断熱材５２と外壁材４２との間の空間、及び第１梁用外側断熱材５４と外壁材４２との間の空間は、各々通気層５６とされている。
【００４５】
さらに、上階の建物ユニット１２と、下階の建物ユニット１２との境界部分の梁外側、即ち、上階の床大梁２０と下階の天井大梁１６との境界部分の梁外側には、上下に配置されている第１梁用外側断熱材５４と連続するように第２梁用外側断熱材５８が配置されており、第２梁用外側断熱材５８の外壁材側には、通気スペーサ６０が配置されている。
これら第２梁用外側断熱材５８、及び通気スペーサ６０は、第１外壁フレーム４４と第２外壁フレーム４６との間に挟持されている。
【００４６】
通気スペーサ６０は、上下方向に空気を通過させることのできる通気路（空間）を備えた部材であり、本実施形態では、図４に示すような段ボール紙６２が用いられている。段ボール紙６２は、波形に形成されたフルート６２Ａと平面状のライナ６２Ｂとを積層した構成であるため、ライナ６２Ｂとライナ６２Ｂとの間が空気を通過させる通気路となる。
図２に示すように、前述した第１外壁フレーム４４、及び第２外壁フレーム４６の通気孔５１と、通気スペーサ６０の通気路とは互いに対向して配置され、相互に連通している。
【００４７】
上階の建物ユニット１２の外壁材４２と、下階の建物ユニット１２の外壁材４２との間には、第２梁用外側断熱材５８及び通気スペーサ６０を、屋外から第１外壁フレーム４４と第２外壁フレーム４６との間に挿入可能とする隙間（目地）６８が設けられている。なお、この隙間６８は、外壁材４２の外側に取り付けられた化粧胴差７０にて塞がれている。
【００４８】
なお、上記壁用外側断熱材５２、第１梁用外側断熱材５４、及び第２梁用外側断熱材５８として、柔軟性、及び弾性を有する、例えば、グラスウール、ロックウール等の繊維系断熱材を用いることができる。
【００４９】
（作用）
本実施形態のユニット建物１０のでは、下階の建物ユニット１２、及び上階の建物ユニット１２の境界部分の横架材である上階の床大梁２０と下階の天井大梁１６の外側が第１梁用外側断熱材５４、及び第２梁用外側断熱材５８で断熱されており、これらの梁部分での室内外方向の熱の移動を阻止することができる。
【００５０】
なお、第２梁用外側断熱材５８は柔軟性を有しているので、梁側面からボルト４８の頭部、ナット５０等の突起が外壁材側へ突出していても、第２梁用外側断熱材５８を梁側面へ押し付けた際に、これら突起の当たる一部が部分的に凹むので、断熱効果を低減させることが無いように第２梁用外側断熱材５８を梁側面に密着させることができる。
【００５１】
また、下階の建物ユニット１２の外壁材４２の内側、及び上階の建物ユニット１２の外壁材４２の内側には、各々通気層５６が設けられているが、下階の建物ユニット１２に対応する通気層５６と、上階の建物ユニット１２に対応する通気層５６とが通気スペーサ６０によって相互に連通（図２の矢印Ａ）されているので、第２梁用外側断熱材５８を梁側面に密着させるために第２梁用外側断熱材５８を外壁材４２の内側に配置しても下階の通気層５６と上階の通気層５６とが遮断されることは無く、基礎側から屋根側まで連続して空気を流通させることができる。
【００５２】
さらに、本実施形態の通気スペーサ６０は、湿気を透過可能な段ボール紙６２で形成されているため、第２梁用外側断熱材５８からの湿気を透過して通気スペーサ６０内の通気路を介して通気層５６へ逃がすことが出来る。
【００５３】
本実施形態では、外壁材４２を梁に取り付けるための第１外壁フレーム４４、及び第２外壁フレーム４６を利用して通気スペーサ６０を保持しているため、通気スペーサ６０を取り付けるための専用の部材を必要とせず、部品点数の増加が必要最小限に抑えられている。
【００５４】
ところで、第２梁用外側断熱材５８、及び通気スペーサ６０は、外壁材４２を各梁に取り付けた後、上階の建物ユニット１２の外壁材４２と下階の建物ユニット１２の外壁材４２との間の設けられた隙間６８から挿入して外壁材４２と天井大梁１６及び床大梁２０との間に配置するが、第２梁用外側断熱材５８、通気スペーサ６０、及び隙間６８の寸法によっては第２梁用外側断熱材５８、及び通気スペーサ６０を隙間６８から挿入し難い場合が考えられる。このような場合には、図５（Ａ）に示すように、予め第２梁用外側断熱材５８、及び通気スペーサ６０を各々上下に２分割しておき、図５（Ｂ）に示すように、最初に２分した第２梁用外側断熱材５８を挿入し（本発明の第１の工程）、その後、図５（Ｂ），（Ｃ）に示すように、２分した通気スペーサ６０を挿入（本発明の第２の工程）すれば容易に作業を行うことができるようになる。
【００５５】
［第２の実施形態］
次に、本発明の第２の実施形態に係るユニット建物１０を図６にしたがって説明する。なお、第１の実施形態と同一構成には同一符号を付し、その説明は省略する。
本実施形態では、通気スペーサ６０の外壁材側の側面の上端側に、帯状とされた防水シート８０の上端側が接着剤等で貼り付けられており、この防水シート８０は、上記下側の外壁材４２と上側の外壁材４２との隙間６８を介して下階の建物ユニット１２の外壁材４２の外側へ取り出されている。なお、防水シート８０の上端は、隙間６８よりも上方に配置されている。
そして、防水シート８０の下端付近は、化粧胴差７０と下側の外壁材４２との間に挟持固定されている。
【００５６】
本実施形態のように防水シート８０を設けることで、仮に、隙間６８から雨水等が外壁材内側へ浸入しようとしたとき、雨水等を防水シート８０を介して外壁材４２の外側へ流すことができ、内部に配置されている通気スペーサ６０、及び第２梁用外側断熱材５８等が濡れることを阻止できる。
【００５７】
［第３の実施形態］
次に、本発明の第３の実施形態に係るユニット建物１０を図７にしたがって説明する。なお、第１の実施形態と同一構成には同一符号を付し、その説明は省略する。
第１の実施形態では、第１外壁フレーム４４、及び第２外壁フレーム４６が外壁材４２の幅方向に連続して延びており、外壁材４２から垂直に立ち上がっている板部分の外壁材側に、通気スペーサ６０の連通路を塞がないように複数の通気孔５１がフレーム長手方向に沿って形成されていたが、本実施形態の第１外壁フレーム４４、及び第２外壁フレーム４６は、図７に示すように、通気孔５１が形成されておらず、例えば、数十ｍｍ程度の長さ（Ｌ）に形成されて、外壁材４２の幅方向に沿って間隔をあけて複数設けられている。
【００５８】
本実施形態では、通気スペーサ６０の通気路の一部分が第１外壁フレーム４４、及び第２外壁フレーム４６によって塞がれるが、第１外壁フレーム４４、及び第２外壁フレーム４６が断続的に設けられているため上下の通気性は十分に確保されている。
【００５９】
［第４の実施形態］
次に、本発明の第４の実施形態に係るユニット建物１０を図８にしたがって説明する。なお、第１の実施形態と同一構成には同一符号を付し、その説明は省略する。
本実施形態のユニット建物１０の通気スペーサ６０は、図８に示すような軸線を上下方向に向けた複数の紙筒６４を接着剤等を用いて一方向に連結した構造のものである。
さらに、本実施形態の通気スペーサ６０は、湿気を透過可能な紙筒６４で形成されているため、第２梁用外側断熱材５８からの湿気を透過して紙筒６４内の通気路を介して通気層５６へ逃がすことが出来る。
【００６０】
［第５の実施形態］
次に、本発明の第５の実施形態に係るユニット建物１０を図９にしたがって説明する。なお、第１の実施形態と同一構成には同一符号を付し、その説明は省略する。
本実施形態のユニット建物１０の通気スペーサ６０は、図９に示すような軸線を上下方向に向けた複数の合成樹脂製の筒６５を一方向に連結した構造のものである。
合成樹脂製の筒６５には、第２梁用外側断熱材（図９では図示せず）５８側に、貫通孔６６が軸方向に沿って複数形成されている。
本実施形態の通気スペーサ６０は、合成樹脂が湿気を透過しないが、第２梁用外側断熱材５８からの湿気を貫通孔６６、及び筒６５内の通気路を介して通気層５６へ逃がすことが出来る。
【００６１】
［その他の実施形態］
上記実施形態では、通気スペーサ６０の形態として図４、図８、及び図９に示すものを例示したが、潰れることなく、上下に通気できれば通気スペーサ６０の構造に制限は無く、ダンボール紙や、パイプ状のものを複数並べた形態に限らず、発泡金属等の各々の気泡が連通した硬質の部材からなるスポンジ状のものや三次元網目構造物であっても良い。
上記実施形態では、第１梁用外側断熱材５４と外壁材４２との間に通気スペーサ６０を配置していないが、第１梁用外側断熱材５４が外壁材４２に接して通気を阻害するような場合には、第１梁用外側断熱材５４と外壁材４２との間に通気スペーサ６０を配置しても良い。
【図面の簡単な説明】
【００６２】
【図１】ユニット建物の斜視図である。
【図２】ユニット建物の下部ユニットと上部ユニットとの境界部分の断面図である。
【図３】外壁材を内側から見た斜視図である。
【図４】通気スペーサの斜視図である。
【図５】（Ａ）〜（Ｃ）は、第２梁用外側断熱材、及び通気スペーサを挿入する手順を示す説明図である。
【図６】第２の実施形態に係るユニット建物の下部ユニットと上部ユニットとの境界部分の断面図である。
【図７】第３の実施形態に係るユニット建物の外壁材を内側から見た斜視図である。
【図８】第４の実施形態に係るユニット建物に用いた通気スペーサの斜視図である。
【図９】第５の実施形態に係るユニット建物に用いた通気スペーサの斜視図である。
【符号の説明】
【００６３】
１０      ユニット建物
１２      建物ユニット
１６      天井大梁（横架材）
２０      床大梁（横架材）
４２      外壁材
４４      第１外壁フレーム（第１の支持部材）
４６      第２外壁フレーム（第２の支持部材）
５１      通気孔
５４      第１梁用外側断熱材
５６      通気層
５８      第２梁用外側断熱材（柔軟性を有した断熱材）
６０      通気スペーサ
６４      紙筒
６５      筒
６６      貫通孔
６８      隙間
７０      化粧胴差
８０      防水シート
【図１】
0005306713.tif 000002
【図２】
0005306713.tif 000003
【図３】
0005306713.tif 000004
【図４】
0005306713.tif 000005
【図５】
0005306713.tif 000006
【図６】
0005306713.tif 000007
【図７】
0005306713.tif 000008
【図８】
0005306713.tif 000009
【図９】
0005306713.tif 000010